(57)【特許請求の範囲】
【請求項１】
螺旋状に巻装して円筒状のコイルとした１本の回転搬送用コイルと、ハンガーのフックを掛止するスライドレールと、回転搬送用コイルを回転するための回転駆動源とを備えたスライドレールコイルコンベアーにおいて、
上記回転搬送用コイルを支持するための回転サポーター板と、当該回転搬送用コイルを回転可能に支持する回転支持板とが設けられているとともに、取付パイプに固定するためのサポーターが適宜の間隔で複数設けられ、回転搬送用コイルが上記回転サポーター板と回転支持板とにより上下方向から挾み付けられて回転可能にして各サポーターに取り付けられ、
上記スライドレールは、上記回転搬送用コイルの外周面の左右の斜め下方に近接した略対向位置に該回転搬送用コイルと同方向に２本が並設され、かつ、上記２本のスライドレールにそれぞれ掛止したハンガーに回転搬送コイルが当接して２本のスライドレールの上側面をそれぞれ滑りながら線接触して上記ハンガーをそれぞれ直線方向に移動せしめ、上記２本のスライドレールは略フック状に形成された各サポーターに取り付けられていることを特徴とするスライドレールコイルコンベアー。
【請求項２】
２本のスライドレールのうち、一方のスライドレールを他方のスライドレール方向へ屈曲せしめてなるハンガー投入部を設けたことを特徴とする請求項１記載のスライドレールコイルコンベアー。
【請求項３】
２本のスライドレールを任意位置で切欠してなる分岐移送部を設けておき、
上記分岐移送部から分岐用ガイドレールの一端方向を前記回転搬送用コイルに近接した位置まで挿入してスライドレールに交叉せしめ、該スライドレールにより移送されたハンガーを前記分岐用ガイドレールへ移送可能に設けてなることを特徴とする請求項１又は２記載のスライドレールコイルコンベアー。
【発明の詳細な説明】
【０００１】
【発明の属する技術分野】
本発明は、衣類その他の物品をハンガーに吊り下げた状態のままで搬送するためのスライドレールコイルコンベアーに関し、特に物品を吊り下げたハンガーをスライドレールに掛止し回転搬送用コイルの回転によってハンガーを搬送可能に設けてなるスライドレールコイルコンベアーに関するものである。
【０００２】
【従来の技術】
第１に、従来のこの種のハンガーのコンベアーにおいては、エンドレス状に設けたチェーンコンベアーやワイヤーコンベアー或いはベルトコンベアーに複数個のハンガーのフックを吊り下げ、これらコンベアーをエンドレス状に回転することにより搬送するものがあった。
【０００３】
第２に、従来のハンガーのコンベアーは、ワイヤーないしコイル棒状体の回転軸の外周面にスクリュー羽根やコイルを設け、回転軸にハンガーのフックを吊り下げて回転することにより、スクリュー羽根又はコイルによりハンガーを搬送せしめるものがあった。
【０００４】
第３に、特許第２５６４４７２号記載の衣服ハンガー搬送コンベアーにおいては、１本のらせん部材の内側に１本の芯棒部材を挿通してハンガーを芯棒部材に吊り下げ、かつ、らせん部材と芯棒部材との間の間隙をハンガーの係合部の幅以上になるように形成して前記らせん部材の回転によりハンガーを搬送するものがあった。
【０００５】
第４に、本願発明者において先に提案した実用新案登録第３０３６５６０号記載のハンガーコイルコンベアーにおいては、１本の円筒コイル体の内側に同軸に１本のスライドバーを遊挿し、かつ、円筒コイル体とスライドバーとの間に間隙を設けスライドバーに吊り下げたハンガーを前記回転コイル体の回転により搬送するものがあった。
【０００６】
【発明が解決しようとする課題】
上記した第１のエンドレス状のコンベアにおいては、送り出しの搬送方向と送り返しの回送方向との２方向の配置が必要であった。
しかも、この種のハンガーコンベアーが多用されるクリニーング工場や縫製工場等は、一般に非常に狭いスペースにおいて多くの複雑な装置が配置された中で多数人が相当複雑で、かつ、雑多な動作を伴う作業が行なわれているため、送り返しの回送方向のコンベアーを配置することは作業員の作業の邪魔になると共に危険であり、かつ、スペース的に余裕が無いという問題があった。
【０００７】
第２のスクリュー羽根やコイルを設けたコンベアにおいては、搬送方向が送り出し方向のみの一方向のハンガーのコンベアーであるから、その分配置のためのスペースが狭くて済み、かつ、工場作業上においてもその分危険が少ないという利点がある。
しかしながら、回転軸の外周面に一体に捩じり羽根またはコイルを巻付け固着するための製作技術が難しく、特に、スクリューとしての捩じり羽根を回転軸の外周面に取付け固定するため、羽根製作上、捩じり応力による破断の制約から一定以上の巾のあるものを巻付けることは技術的に不可能乃至困難であった。
【０００８】
削除
【０００９】
削除
【００１０】
削除
【００１１】
削除
【００１２】
さらに、本発明が多用されるクリニーング工場や縫製工場等においてはハンガーに吊り下げる衣服が洋服や和服等の場合にあっては、通常１個のハンガーに最大約３ｋｇ程度の加重が掛かり、約２０ｃｍ間隔にコイルコンベアーに設けられたサポーター（支持フック）の間に、４個乃至５個のハンガーが吊り下げられると約１２乃至１５ｋｇの荷重が掛かり、回転軸自体が変形したり最悪の場合には破断してしまうという問題があった。
【００１３】
更にまた、搬送方向を任意方向へ変更しようとして回転軸を屈曲せしめると屈曲位置の回転軸のピッチが相互に縮まり、または密着してしまい、ハンガーのスムースな搬送が出来なくなるという問題があった。
【００１４】
第３の特許第２５６４４７２号記載の衣服ハンガー搬送コンベアーにおいては、らせん部材と芯棒部材との間の間隙が、ハンガーの係合部（フック）の幅より大きく形成されなければならず、搬送できるハンガーの種類が制約されてしまう他に、次の問題点があった。
（１）１本の芯棒部材が回転する１本のらせん部材の内側に遊挿されているために、らせん部材を一定角度以上に屈曲せしめたり、一定以上のハンガーを吊り下げて一定以上の加重が掛かると、１本の芯棒部材は、コンベアーの両端の２点のみで支持されているから芯棒部材が押し下げられて、らせん部材の内側面に芯棒部材が接触してしまい、らせん部材の回転が阻害される等の問題があった。
（２）しかも、この種の衣服ハンガー搬送コンベアーが多用されるクリニーング工場や縫製工場等は、一般に非常に狭いスペースにおいて多くの複雑な装置が配置された中で多数人が相当複雑で、かつ、雑多な動作を伴う作業が行なわれているため、送り返しの回送方向のコンベアーを配置することは作業員の作業の邪魔になると共に危険であり、かつ、スペース的に余裕が無いという問題があった。
【００１５】
さらに、第４の実用新案登録第３０３６５６０号記載のハンガーコイルコンベアーにおいては、１本のスライドバーが回転する１本の円筒コイル体の内部に遊挿されているために、上記した第３の衣服ハンガー搬送コンベアーと同様な問題点（１）（２）があった。
【００１６】
本発明は、従来技術における上記の問題を解決し、ハンガーコイルコンベアーにおいて回転搬送用コイルの外周面に近接して２本のスライドレールを並設し、回転搬送用コイルの回転により２本のスライドレールに吊り下げたハンガーを搬送可能に設けて、スライドレールを回転搬送用コイルの内側に挿通せずに外周面に近接して２本を並設することにより、スライドレールは移送されるハンガーを吊下げて保持する機能のみとし、回転搬送用コイルはスライドレールに吊下げたハンガーを移送する機能のみを有するものとしたことにより、スライドレールが回転搬送用コイルに接触する恐れがなく、また、ハンガーの重量や数量により制約されることがなく、さらに、スライドレールと回転搬送用コイルとの間の間隙により搬送されるハンガーの種類や大小等のハンガーによる制約を受けることがないスライドレールコイルコンベアーを提供することを目的とするものである。
【００１７】
【課題を解決するための手段】
請求項１に記載した発明は、螺旋状に巻装して円筒状のコイルとした１本の回転搬送用コイルと、ハンガーのフックを掛止するスライドレールと、回転搬送用コイルを回転するための回転駆動源とを備えたスライドレールコイルコンベアーにおいて、上記回転搬送用コイルを支持するための回転サポーター板と、当該回転搬送用コイルを回転可能に支持する回転支持板とが設けられているとともに、取付パイプに固定するためのサポーターが適宜の間隔で複数設けられ、回転搬送用コイルが上記回転サポーター板と回転支持板とにより上下方向から挾み付けられて回転可能にして各サポーターに取り付けられ、上記スライドレールは、上記回転搬送用コイルの外周面の左右の斜め下方に近接した略対向位置に該回転搬送用コイルと同方向に２本が並設され、かつ、上記２本のスライドレールにそれぞれ掛止したハンガーに回転搬送コイルが当接して２本のスライドレールの上側面をそれぞれ滑りながら線接触して上記ハンガーをそれぞれ直線方向に移動せしめ、上記２本のスライドレールは略フック状に形成された各サポーターに取り付けられていることを特徴とする。
【００１８】
削除
【００１９】
請求項２に記載の発明は、２本のスライドレールのうち、一方のスライドレールを他方のスライドレール方向へ屈曲せしめてなるハンガー投入部を設けたことを特徴としている。
【００２０】
請求項３に記載の発明は、２本のスライドレールを任意位置で切欠してなる分岐移送部を設けておき、上記分岐移送部から分岐用ガイドレールの一端方向を前記回転搬送用コイルに近接した位置まで挿入してスライドレールに交叉せしめ、該スライドレールにより移送されたハンガーを前記分岐用ガイドレールへ移送可能に設けてなることを特徴としている。
【００２１】
削除
【００２２】
削除
【００２３】
【発明の実施の形態】
本発明のスライドレールコイルコンベアーにおける回転搬送用コイルは、鋼鉄線等の金属線を１０ｍｍ〜１００ｍｍのピッチ好ましくは搬送速度やコイルの口径から２０ｍｍ程度のピッチの間隔の螺旋状に巻装して円筒状のコイルとした回転搬送用コイルを形成したもので、該回転搬送用コイルは適宜間隔に突設して配置したサポーターにより支持されて工場内等の適宜位置に配置され、該サポーターによる回転搬送用コイルの支持は約２０ｃｍ程度の間隔をおいて該回転搬送用コイルの軸方向に複数を配置して駆動源により回転可能に設けられている。
【００２４】
スライドレールは、鋼鉄製又はステンレス鋼製等の金属杆体或は弾力性を有する硬質プラスチック杆体又は鋼鉄線等の金属線を一重又は多重に巻装して丸棒体状の円筒形のコイル体に形成したコイル棒状体としてなる断面丸形又は矩形或いは中空パイプ状等の適宜な形状に形成され、該スライドレールの上側面は掛止して吊り下げたハンガーのフックがスムースに滑走できるように平滑面に形成されてなり、かつ、スライドレールは回転搬送用コイルの外側面に近接して、回転搬送用コイルと同一方向に並設される。
【００２５】
スライドレールは、回転搬送用コイルを支持して工場内の壁面等に取り付けてなるサポーターにより回転搬送用コイルの外側面に近接した位置において、回転搬送用コイルと同一方向に並設され、該スライドレールと回転搬送用コイルとの間の間隔は、スライドレールに掛止して吊り下げたハンガーのフックが回転搬送用コイルに当接し、しかも該回転搬送用コイルが回転するに伴ってハンガーを軸方向へスライドレール上をフックが滑って線接触しながら直線方向へ押送するように設けられている。
【００２６】
スライドレールは、回転搬送用コイルの外側面に近接して同一方向に並設されその取付け位置は回転搬送用コイルがスライドレールに掛止して吊り下げたハンガーのフックに当接し回転に伴って搬送可能であればその配置位置を問わず、回転搬送用コイルの左右の斜上方や左右両側面方向や下側面方向や上側方向等の任意方向に配置され、また、スライドレールは１個のみでなく回転搬送用コイルを挾んだ対向方向において２個を配置することもできる。
【００２７】
回転搬送用コイルにより搬送されるハンガーを掛止したスライドレールを、途中で一部を切欠して設けた分岐移送部において、分岐用ガイドレールの一端方向を回転搬送用コイルに近接した位置まで、分岐移送部から挿入してスライドレールに並設又は交叉せしめ、スライドレールにより移送されたハンガーを該分岐用ガイドレールへ移し替えて移送可能してなるものである。
【００２８】
ガイドレールをスライドレールに交叉せしめて設けておき、ガイドレールにより別送されてきたハンガーを、前記ガイドレールからスライドレールへ移し替えることにより、途中からハンガーをガイドレールによりスライドレールへ合流せしめて移送可能にしたものである。
【００２９】
【作用】
スライドレールに掛止されるハンガーは、ハンガーのフックが直接にスライドレールに掛止して吊り下げられても良く、また、回転搬送用コイルのピッチの間を介してスライドレールに掛止しても良く、また、スライドレールに直接に掛止したハンガーと、回転搬送用コイルのピッチを介してスライドレールに掛止したものとの、それぞれ両方の掛止方法によるハンガーも回転搬送用コイルにより搬送できるので、ハンガーに吊り下げた衣類の種類等によりハンガーの掛止位置を変えることにより、それぞれ衣類の種類や衣類の大小等に区分けして、或いはクリニーング済みのものとクリニーングをしていないものとを区分けして、回転搬送用コイルにより搬送することができるように作用するものである。
【００３０】
回転搬送用コイルの外側面に近接してスライドレールを同一方向に並設し、スライドレールに掛止したハンガーが、回転搬送用コイルの回転によりスライドレールに掛止したままで搬送可能に設けられているので、ハンガーの掛止と、ハンガーの直線方向への搬送とが各々別々に行われるので、ハンガーに回転搬送用コイルが当接して搬送可能に設けられていれば、ハンガーのフックの幅の大小やハンガーの種類を問わずに確実に搬送されるように作用する。
【００３１】
従来のハンガーのコイルコンベアーの回転軸にスクリュー羽根やコイルを巻装してなるものにおいては、回転軸による回転とハンガーの搬送との機能は同時に１個の部材により一体に発揮されるものであるが、本発明のコイルコンベアーにおいては、スライドレールがハンガーを吊り下げた状態を保持する機能を有し、回転搬送用コイルは、ハンガーをスライドレールの上側面を滑りながら線接触して直線方向に移動せしめるものであるから、スライドレールに吊り下げられたハンガーを回転搬送用コイルが回転することにより後方から押送しながら軸方向へ搬送する機能を有し、回転搬送用コイルとスライドレールとが、各々別個の機能を発揮するものであるから、ハンガーの吊り下げと搬送とが無理なくスムースに行なわれるように作用するものである。
【００３２】
また、ハンガーのフックはスライドレールの外周面を滑って線接触しながら摺動し、軸方向に直線状に搬送されるものであるから、ハンガーの搬送がスムースでありにフックが削られて粉体が飛散することがないように作用する。
【００３３】
並設したスライドレールの一方を、ハンガー投入部において他方のスライドレール方向へ屈曲しめたから、ハンガーをスライドレールへ掛止して吊り下げる作業が容易にできるように作用する。
【００３４】
スライドバーを弾力性を有する硬質プラスッチ製とし或は一重又は多重に巻装した円筒コイル体のコイル棒状体とすることにより、コイルコンベアーが容易に屈曲することすることができるので、コイルコンベアーを一旦配設後も容易に搬送方向を変更することができるように働くものである。
【００３５】
スライドレールに対してガイドレールを交叉して設けたから、ガイドレールにより搬送されたハンガーがスライドレールとの交叉した部分において自動的にガイドレールからスライドレールへ合流し移行されるように働くものである。
【００３６】
回転搬送用コイルの回転によりスライドレールに掛止した搬送されるハンガーが、スライドレールを途中で一部を切り欠いて設けた分岐移送部を設け、該分岐移送部に分岐用ガイドレールをスライドレールに交叉して設けたから、スライドレールにより移送されたハンガーが、該分岐移送部においてハンガーがスライドレールから分岐用ガイドレールへ移し替わって、移送されるように働くものである。
【００３７】
【実施例】
以下に本発明を実施例を示す図面に基づいて説明する。図１は、本発明のスライドレールコイルコンベアーの要部たるコイルコンベアー１の一部を示すものであり、該コイルコンベアー１は、断面口径６ｍｍの鋼鉄線のコイル材を用いて外周口径が３２ｍｍ、ピッチ間隔が２０ｍｍの円筒状をした螺旋状のコイルに巻装してなる回転搬送用コイル２を形成し、該回転搬送用コイル体２の外側面２ａの斜め下方に近接した対向方向の位置において、弾性を有する硬質プラスチック製の丸棒状体に形成された断面口径８ｍｍのスライドレール３が、並設されている。
【００３８】
回転搬送用コイル２とスライドレール３とは、略フック状に形成されたサポーター４により該サポーター４を取付け固定する取付パイプ５を介して連結した状態でかつ２０ｃｍ間隔に工場等の壁面等の適宜位置に、水平方向や上下左右の適宜な角度に或いは屈曲して角度を変えながら取付け固定される。
【００３９】
回転搬送用コイル２は、図２に示すごとくサポーター４の上方から垂下され上下方向にアジャスト可能に設けられた回転サポーター板６と、サポーター４の下方に設けた回転支持板７とにより回転搬送用コイル２を上下方向から挾み付けて回転可能に、サポーター４に取り付けられてなり、スライドレール３は、サポーター４に取り付けられた回転搬送用コイル２の外側面２ａの左右の斜め下方向に近接して対向方向の位置において回転搬送用コイル２と同一方向に並設してサポーター４に取付け固定されている。
【００４０】
回転搬送用コイル２とスライドレール３とからなるコイルコンベアー１は、取付パイプ５とサポーター４とにより、クリニーング工場内等の適宜な場所に配設され、回転駆動源１５により回転搬送用コイル２が回転され、該回転搬送用コイル２の回転に伴い、図１、図４、図５に示す状態に回転搬送用コイル２が当接したスライドレール３に掛止したハンガー８を回転に伴って、回転搬送用コイル２の軸方向に押送されながらスライドレール３上を搬送するものである。
【００４１】
この様にコイルコンベアー１において、スライドレール３が弾性を有する硬質プラスチック製の丸棒状体に形成され、しかも回転搬送用コイル２にハンガー８が当接しているから、ハンガー８のフック９が回転搬送用コイル２の回転によりスライドレール３に線接触しながら搬送されるので、摺接音が殆ど発生せずにスムースな移動が行なわれるという効果がある。
【００４２】
ハンガー８は、図４に示すように回転搬送用コイル２のピッチの間に挾まれた状態に、即ち回転搬送用コイル２を介してスライドレール４に掛止することができ、また、図１に示すようにハンガー８は、スライドレール３に直接に掛止することもできるがこの場合にはハンガー８のフック９が必ず回転搬送用コイル２に当接して搬送可能なように吊り下げることが必要であり、更に、ハンガー８は、図１に示すように回転搬送用コイル２のピッチの間を介してスライドレール３に掛止したものと直接にスラスドレール３に掛止することに分けて用いることにより、ハンガー８をスライドレール３への吊り下げを区分することができるものである。
【００４３】
図６は、回転搬送用コイル２の対向方向の位置に並設したスライドレール３の一方をハンガーの投入部１０において、他方のスラスドレール３方向へ屈曲しせしめて、ハンガー投入部１０を設けてなるものである。
【００４４】
この様にスライドレール３の一方を他方のスライドレール３方向へ屈曲して密着せしめハンガー投入部１０を形成したものであるから、ハンガー８のスライドレール３への掛止が容易にできるという効果がある。
【００４５】
図７は、スライドレール３に対して、ハンガー８をスライドして移送するガイドレール１１を交叉せしめて配置し、ガイドレール１１によりスライドして移送されたハンガー８が交叉部においてスライドレール３へ移行できるように設けてなるものである。
【００４６】
この様にガイドレール１１をスライドレール３に交叉して配置することによって、ガイドレール１１をスライドして別送されるハンガー８を交叉部においてスライドレール３へ自動的に移行させて合流し移送することが出来るという効果がある。
【００４７】
図９は本発明の他の実施例を示すものであり、スライドレール３を断面略矩形状の杆体に形成したものであり、この様に形成したスライドレール３を回転搬送用コイル２の外側面２ａに近接して並設してなるものであり、この様にスライドレール３を断面略矩形状の杆体に形成することにより、サポーター４への取付けが容易となり、しかも、その製作が容易となるという効果がある。
【００４８】
本発明のスライドレール３は、弾性を有する硬質プラスチック製の丸棒状体の資材に変えて、断面口径２ｍｍの鋼鉄線を口径８ｍｍの円筒状の巻装してなるコイル棒状体に形成したものを用いることができ、しかもこの場合において必要に応じてコイル棒状体は、鋼鉄線を一重だけでなく同心円状に多重巻に巻装（図示しない）して用いることもできる。
【００４９】
この様にスライドレール３を、コイル棒状体に形成しておけばより一層弾力性が高まりコイルコンベアー１の搬送方向を変えために回転搬送用コイル２の屈曲に対応して同一方向にスライドレール３を屈曲して配置することが容易に行なわれるという効果がある。
【００５０】
本発明のスライドレールコンベアーのコイルコンベアー１には、荷重を支えるために図１に示すサポーター４が、２００ｍｍ間隔において配置され、しかもこのサポーター４により、コイルコンベアー１の回転によるハンガー８の搬送を全く阻害したり制約されることなく、荷重に耐えてコイルコンベアー１を略水平方向や上下方向等の任意方向に配設したまま保持することができるという効果がある。
【００５１】
スライドレール３を、外周面が平滑性を有する金属又はプラスチックを使用することにより、従来から一般に使用されている金属製又はブラスチック製のハンガー８をそのまま使用しても、ハンガー８の搬送に伴うフック９の削れによる粉状体の発生を防止できるという効果がある。
【００５２】
本発明においてはハンガー８に衣服等の物品を吊り下げずに、無荷重のハンガーを吊り下げて搬送する場合にも、サポーター４には回転搬送用コイル２の上方からは、回転案内押えとして上下方向にアジャスト可能にした回転サポーター板６と、下側方向からは回転支持板７とを設けているから、回転搬送用コイル２が上下方向への搬送方向に角度を変えても、スムーズに回転しながらに容易にハンガーの搬送ができるという効果がある。
【００５３】
図１０は、コイルコンベアー１の途中において並設したスライドレール３を切欠して分岐移送部１３を設け、該分岐移送部１３において分岐用ガイドレール１２の一端方向をスライドレール３の切欠した位置から回転搬送用コイル２の下方に挿入して位置せしめ、かつ、スライドレール３の切欠した端部方向と分岐用ガイドレール１２の端部方向の一部を並列し又は交叉せしめて、スライドレール３に掛止されて搬送されたハンガー８を該分岐用ガイドレール１２へ移し替えて移送可能に設けてなるものである。
【００５４】
分岐用ガイドレール１２は、図１１に示すようにコイルコンベアー１の途中に配置しておけば、搬送されるハンガー８を必要に応じて、選別して所定の位置へ分岐して搬送し、例えば図１１においては、コイルコンベアー１により搬送されたハンガー８に吊り下げられた衣服類を途中に設けた衣類包装装置により包装したもののみを分岐用ガイドレール１２により選別して、所定の位置へ搬送することができるという効果がある。
【００５５】
本発明は、コイルコンベアー１の途中においてスライドレール３を切り欠いた分岐移送部１３を設け、分岐用ガイドレールをスライドレール３に並設し又は交叉して設けたので、スライドレール３により搬送されたハンガー８を、分岐用ガイドレール１２へ移送することができるという効果がある。
【００５６】
【発明の効果】
請求項１に記載した発明によれば、次の各効果を得ることができる。
（１）１本の回転搬送用コイルの外周面の左右の斜め下方に近接した略対向位置に該回転搬送用コイルと同方向に２本のスライドレールを並設する構成を採用することによって、従来の問題点を一掃することができた。
特に、スライドレールへのハンガーの荷重を回転搬送用コイルの内側で受ける必要がなくなるうえに、略フック状の各サポーターで回転搬送用コイルの外側から必要な箇所に応じてスライドレールを支持することができた。
（２）また、１本の回転搬送コイルの外周面に２本のスライドレールを近接して配置しているので、１本の搬送ラインでライン２本分の働きをさせることができ、クリーニング工場や縫製工場等の狭いスペースに有効に対応することができた。
（２）さらに、２本のスライドレールが回転搬送コイルの外周面の左右の斜め下方に近接して設置されているので、ハンガーの投入と取出しをスムーズに行え、回転搬送コイルの上下左右の曲がりに柔軟に対応することができた。
【００５７】
請求項１に記載した発明で得られる効果に加え、各請求項に記載した発明によれば、次の効果を得ることができる。
請求項２に記載した発明によれば、ハンガーのスライドレールへの掛止を容易に行うことができる。
【００５８】
請求項３に記載した発明によれば、スライドレールにより搬送されたハンガーを、必要に応じて選別して所定の位置へ分岐して搬送し、分岐用ガイドレールへ移送することができる。
【図面の簡単な説明】
【図１】本発明のスライドレールコンベアーを工場等の壁面等へ取り付けてハンガーを吊り下げた状態の斜視図である。
【図２】図１における本発明の要部の側面図である。
【図３】図１の本発明の要部の一部透視の正面図である
【図４】本発明のスライドレールコンベアーにハンガーを掛止した状態を示す要部の斜視図である。
【図５】図４の要部の一部透視の断面図である。
【図６】本発明の使用状態を示す要部の斜視図である。
【図７】本発明の使用状態を示す要部の斜視図である。
【図８】本発明の要部の一部透視の平面図である。
【図９】本発明の他の実施例を示す側面図である。
【図１０】本発明の他の実施例を示す側面図である。
【図１１】図１０の要部の斜視図である。
【符号の説明】
１ コイルコンベアー
２ 回転搬送用コイル
２ａ 回転搬送用コイルの外側面
３ スライドレール
４ サポーター
５ 取付パイプ
６ 回転サポータ板
７ 回転支持板
８ ハンガー
９ フック
１０ ハンガー投入部
１１ ガイドレール
１２ 分岐用ガイドレール
１３ 分岐移送部
１４ 包装用装置
１５ 回転駆動源
【図１】
0004044185.tif 000002
【図２】
0004044185.tif 000003
【図３】
0004044185.tif 000004
【図４】
0004044185.tif 000005
【図５】
0004044185.tif 000006
【図６】
0004044185.tif 000007
【図７】
0004044185.tif 000008
【図８】
0004044185.tif 000009
【図９】
0004044185.tif 000010
【図１０】
0004044185.tif 000011
【図１１】
0004044185.tif 000012